【事件の表示】
　平成８年特許願第３０１２１２号「遊技機における照明表示装置」拒絶査定不服審判事件〔平成１０年５月１２日出願公開、特開平１０−１１８２５１〕について、次のとおり審決する。
【結　論】
　本件審判の請求は、成り立たない。
【理　由】
１．手続の経緯・本願発明
　本願は、平成８年１０月２４日の出願であって、その請求項１及び２に係る発明は、平成１２年４月７日に提出された手続補正書で補正された特許請求の範囲の請求項１及び２に記載された事項により特定されるものであると認められるところ、その請求項１に係る発明（以下、「本願発明」という。）は次のとおりである。
　「電子的な制御装置(36)を利用して所要ゲームを行ない得る遊技機(Ｐ)における対象部分(Ｂ,Ｃ,Ｈ)に合わせて装備される照明表示装置にあって、
　前記対象部分(Ｂ,Ｃ,Ｈ)の設置位置に適した形状・サイズに成形されて前記制御装置(36)に通電接続される基板(１)と、制御装置(36)から出力される使用電圧をもとにして昇圧された電圧を定時的に出力制御し得る発光用の昇圧出力制御部(12)と、基板(１)の所定部位に接続固定されて昇圧出力制御部(12)から定時的に出力される昇圧電圧が発光部(８)に印加されることによって発光し得るフラッシュ照明具(７)と、このフラッシュ照明具(７)の発光部(８)に合わせて設けられるフラッシュレンズ(11)と、前記基板(１)に配設された表示ランプ(４)とを備え、
　前記遊技機(Ｐ)で成立される特別ゲームの現出に対して、前記制御装置(36)から出力される使用電圧を昇圧出力制御部(12)に入力して昇圧電圧に変換して定時的に出力し、これに基いて前記フラッシュ照明具(７)の発光部(８)に昇圧電圧が印加される所定時間毎に発光して照明表示するように構成したことを特徴とする遊技機における照明表示装置。」
　
２．引用例に記載された発明
（１）原査定の拒絶の理由に引用された特開平６−１９８０６６号公報（以下、「引用例１」という。）には、次の記載が認められる。
（１-a）「【従来の技術】・・・各パチンコ機には、遊技中一度に多くの入賞球を発生させる大当り状態になった時、又は球詰りが生ずるなどトラブルが発生した時、これらを報知するため前面各所にランプ飾りを装着している。」（２頁左欄１３〜１８行）、
（１-b）「【発明が解決しようとする課題】ところで、前記各ランプ飾りは小さい電球を収納して、スイッチのオン，オフ動作により点滅するようにしてる。しかるに、各ランプ飾りは電球が小さいので発光量が少なく、せっかく大当り状態になっても感激度・興奮度が充分満たされてなかった。また、その他の照明具，ランプなど多いことから目立たず、本来の目的を充分達成できないばかりか、パチンコホールへの客足の入りが今１つ不足するという課題があった。」（２頁左欄２１〜２９行）、
（１-c）「【作用】遊技中、一度に多くの入賞球を発生させる大当り状態になった時、パチンコ機前面及び島台に装着された各ランプ飾りのフラッシュランプを発光・点滅するようにしてこれを報知する。」（２頁左欄４１〜４４行）、
（１-d）「遊技盤１０面のレール９外側に、図２に示す如くランプ飾り１１ａを装着している。該ランプ飾り１１ａは、一度に多くの入賞球を発生させる大当り状態になつたことを報知させるためのもので、図２に示す如く遊技盤１０面に貼着する基板１２ａと該基板１２ａの前面を覆い透光性を有する合成樹脂材により形成されるカバー部材１３ａとより成り、前記基板１２ａの前面には凹窪状の反射板１４ａを複数配置し、該各反射板１４ａの前側にフラッシュランプ１５を収納してなる。」（２頁右欄８〜１７行）、
（１-e）「該フラッシュランプ１５は概略放電管をコンデンサを介して電源と接続してなり、コンデンサに蓄えられる電流によって一度に放電管から通常の電球よりはるかに発光量の多い閃光を発するようにした周知のもので、本実施例の場合、繰り返し断続的に発光し得るようにしている。」（２頁右欄１８〜２３行）、
（１-f）「【発明の効果】以上に述べたように、本発明のパチンコ機等のランプ飾りは、内部にフラッシュランプを収納したので、華々しく発光しよく目立ち、大当り時などは感激度・興奮度が十分満たされゲームの面白味が増大される。」（３頁右欄１４〜１８行）。
　上記記載によると、引用例１には、
　遊技盤１０面のレール９外側には、ランプ飾り１１ａが装着されており、ランプ飾り１１ａは、遊技盤１０面に貼着する基板１２ａと該基板１２ａの前面を覆い透光性を有する合成樹脂材により形成されるカバー部材１３ａとより成り、前記基板１２ａの前面には凹窪状の反射板１４ａを複数配置し、該各反射板１４ａの前側にフラッシュランプ１５を収納してなり、フラッシュランプ１５は概略放電管をコンデンサを介して電源と接続してなり、コンデンサに蓄えられる電流によって一度に放電管から通常の電球よりはるかに発光量の多い閃光を発するようにした周知のものであり、該ランプ飾り１１ａは、一度に多くの入賞球を発生させる大当り状態になった時、フラッシュランプ１５を発光・点滅してこれを報知するパチンコ機のランプ飾り（以下、「引用例１の発明」という。）が記載されていると認められる。
（２）原査定の拒絶の理由において周知例として引用された特開平７−２０１４８５号公報（以下、「引用例２」という。）には、次の記載が認められる。
（２-a）「１３はトリガトランスで、一次巻線にはトリガコンデンサ８の他の一端に接続され、二次巻線には後述の閃光放電管１４が接続される。この閃光放電管１４はストロボ発光を行うもので、陽極に主コンデンサ６の正極と抵抗７の一端が接続され、陰極に後述のダイオード９０１と９０３のアノードが接続される。」（３頁左欄４９行〜同頁右欄４行）、
（２-b）「電池１を昇圧回路３で昇圧し、抵抗７を介してトリガコンデンサ８に充電し、ＴＲＧ１信号でサイリスタ９をオンしてトリガコンデンサ８を放電し、トリガトランス１３の一次巻線にパルスが発生し、二次巻線に高圧パルスが発生し、閃光放電管１４に発光トリガをかける。」（３頁右欄５〜１０行）。
（３）原査定の拒絶の理由において周知例として引用された特開平３−２０８０３１号公報（以下、「引用例３」という。）には、「第１図は本発明の一実施例におけるフラッシュ光量制御装置の回路構成を示すものである。第１図において、11は昇圧回路、12は整流回路、13はフラッシュ発光部（閃光放電管Ｘｅ）を励起させるトリガ回路、14は放電ループであって、メインコンデンサとＩＧＢＴとフラッシュ発光部Ｘｅ等を有する。15は発光制御回路である。」（２頁右上欄２０行〜同頁左下欄６行）と記載されている。
（４）特開平８−１３１６１９号公報（以下、「周知例１」という。）には、「プリント基板５０には配線パターン５９が形成されると共に本体枠１０に位置決め、取り付けるための位置決め用穴５１ａ、ネジ穴５１ｂが設けられている。又、プリント基板５０の正面側には配線パターン５９と電気的に接続されたコネクタピン５３及びコネクタピン５３に挿入される照明用ランプ５２、そして、入賞玉検出器３０のコネクタ３４と電気的に接続するコネクタ５４が設けられている。更に、プリント基板５０の背面側には後述のリード線コネクタ７０と電気的に接続するコネクタ５６が設けられている。」（３頁左欄２〜１１行）、と記載されている。
　
（５）登録実用新案第３０２８７４７号公報（以下、「周知例２」という。）には、次の記載が認められる。
（５-a）「この装置は、・・・配線基板１と、ＬＥＤ式ディスプレー２１〜２３と、抵抗３１〜３８と、タクトスイッチ５１、５２と、発光ダイオード６と、雌型コネクタ７とを備えている。・・・
　上記配線基板１は、・・・平面形状に形成され、適所にスルーホールＳが設けられた基材１１と、基材１１の表面側に形成された第１導電パターン（メッキ付き）Ｐ１と、基材１１の裏面側に形成された第２導電パターン（メッキ付き）Ｐ２と、スルーホールＳの内壁を中心に形成された導電層（図示を省略）と、・・・を備えている。」（９頁１６〜２５行）、
（５-b）「発光ダイオード６は、上方側に発光部６１ａを突出させ、略二段ロケット形状とされた本体部６ａと、本体部６ａの下面より露出する一対の接続用リードの接続部６ｂ、６ｂとを備えている。」（１１頁２９行〜１２頁２行）、
（５-c）「各部品２１〜２３、３１〜３８、５１、５２、６は、図４（ａ）及び（ｃ）に示す様に実装されている（但し、図４では、スルーホール内の導電層の図示を省略している。）。即ち、図４（ａ）、（ｂ）に示す様に、各部品の接続用リード２ｂ、５ｃ等の接続部を、対応関係にあるスルーホールＳに挿入し、このスルーホールＳ内を所定の半田Ｈで充填すれば、実装を完了する。」（１２頁１１〜１６行）。
　
３．対比
　本願発明と引用例１の発明とを比較すると、引用例１の発明の「基板１２ａ」、「フラッシュランプ１５」及び「大当り状態」は、本願発明の「基板(１)」、「発光部(８)」及び「特別ゲーム」に対応している。そして、
（ｉ）引用例１の発明の「パチンコ機」は、電子的な制御装置を利用して所要ゲームを行う遊技機ということができ、また、引用例１の発明の「ランプ飾り１１ａ」は、パチンコ機における対象部分に合わせて装備される照明表示装置ということができ、フラッシュランプ１５等でフラッシュ照明具が構成されている。
（ii）引用例１の発明の「基板１２ａ」は、当然、対象部分の設置位置に適した形状・サイズに成形されていると認められる。
（iii）本願発明の「フラッシュレンズ(11)」と引用例１の発明の「カバー部材１３ａ」とは、フラッシュ照明具の発光部を覆うカバーということができる。
　そうすると、本願発明と引用例１の発明とは、
　電子的な制御装置を利用して所要ゲームを行ない得る遊技機における対象部分に合わせて装備される照明表示装置にあって、前記対象部分の設置位置に適した形状・サイズに成形された基板と、基板の所定部位に固定されて電圧が発光部に印加されることによって発光し得るフラッシュ照明具と、このフラッシュ照明具の発光部を覆うカバーと、を備え、
　前記遊技機で成立される特別ゲームの現出に対して、前記制御装置から出力に基いて前記フラッシュ照明具の発光部に電圧が印加される所定時間毎に発光して照明表示するように構成した遊技機における照明表示装置で一致し、次の点で構成が相違している。
（１）相違点Ａ
　本願発明では、基板が「制御装置(36)に通電接続され」ており、フラッシュ照明具が基板に「接続固定されて」いるのに対し、引用例１の発明では、基板（１２ａ）に、制御装置が通電接続されていて、フラッシュ照明具が接続固定されているか不明である点。
（２）相違点Ｂ
　本願発明では、「制御装置(36)から出力される使用電圧をもとにして昇圧された電圧を定時的に出力制御し得る発光用の昇圧出力制御部(12)」を備え、「制御装置(36)から出力される使用電圧を昇圧出力制御部(12)に入力して昇圧電圧に変換して定時的に出力し」ているのに対し、引用例１の発明では、昇圧出力制御部を備えているか不明である点。
（３）相違点Ｃ
　フラッシュ照明具の発光部を覆うカバーが、本願発明では、「フラッシュ照明具(７)の発光部(８)に合わせて設けられるフラッシュレンズ(11)」であるのに対し、引用例１の発明では、基板１２ａの前面を覆い透光性を有する合成樹脂材により形成されるカバー部材１３ａである点。
（４）相違点Ｄ
　本願発明では、「基板(１)に配設された表示ランプ(４)」を備えているのに対し、引用例１の発明では、表示ランプを備えているか不明である点。
　
４．判断
　上記相違点について検討する。
（１）相違点Ａについて
　照明ランプ等の電子部品をプリント配線基板に接続固定することは周知技術である（例えば、上記周知例１及び２参照。）から、引用例１の発明において、基板１２ａをプリント配線基板として、フラッシュランプを基板１２ａに接続固定することは当業者なら容易にできることであり、また、パチンコ機においては、通常、制御装置やランプ等は同じ電源を利用しているから、基板１２ａは制御装置に通電接続されているものといえる。
（２）相違点Ｂについて
　引用例１の発明の「フラッシュランプ１５」は、放電管をコンデンサを介して電源と接続してなり、コンデンサに蓄えられる電流によって放電管から発光量の多い閃光を発するようにした周知のもの（上記（１-e）の摘記参照。）である。
　そして、低電圧の電源を昇圧回路（昇圧出力制御部）によって昇圧し、その昇圧した電圧によりフラッシュランプを発光させることは周知であり（例えば、上記引用例２及び３参照。）、また、パチンコ機においては、制御装置に用いられている電源は通常低電圧のものが用いられており、さらに、引用例１の発明は、制御装置が大当り状態を生じさせたときに、フラッシュランプが発光・点滅して大当り状態を報知するものである。
　そうすると、引用例１の発明において、制御装置から出力される使用電圧を昇圧回路（昇圧出力制御部）によって昇圧電圧に変換して出力し本願発明の構成とすることは当業者なら容易に想到し得ることである。
（３）相違点Ｃについて
　パチンコ機では、ランプ等が複数設けられていて、そのランプ等の報知する内容に応じてランプカバーの色や大きさ等を変えることは例示するまでもなく慣用的に行われており、引用例１の発明おいて、フラッシュランプ１５のカバーを、フラッシュランプ１５に合わせて設けることは当業者が容易にできる程度の設計事項に過ぎない。
　
（４）相違点Ｄについて
　引用例１には、小さい電球を収納したランプ飾りのほかに、その他の照明具やランプが多く配置されていることが記載されており（上記（１-b）参照。）、また、パチンコ機においては、フィラメントのランプや発光ダイオードのランプ等を用い、大当り状態だけでなく他の遊技状態をも報知することは慣用的に行われている（本願明細書における【従来技術】の記載参照。）。
　そして、引用例１の発明において、大当り状態だけでなく他の遊技状態をも報知するためにフィラメントのランプや発光ダイオードのランプ等を用いることは当業者なら容易に想到できることであり、その際、フィラメントのランプや発光ダイオードのランプ等を基板１２ａに配設することは当業者なら容易にできる程度の設計事項にすぎない。
　而して、本願発明が奏する効果は、引用例１に記載された発明及び周知・慣用技術から予測できる程度であって格別顕著なものではなく、本願発明は、引用例１に記載された発明及び周知・慣用技術に基づいて当業者が容易に発明をすることができたものである。
　
５．むすび
　以上のとおり、本願発明は、引用例１に記載された発明及び周知・慣用技術に基づいて当業者が容易に発明をすることができたものであるから、特許法第２９条第２項の規定により特許を受けることができない。
　よって、結論のとおり審決する。